(57)【要約】【課題】払拭部材をフローリングに強く押し付けながら水拭きや乾拭きなどの清掃を行うことができる、圧接式のフローリングワイパーを得る。【解決手段】フローリングワイパーが、ワイパー本体１と、このワイパー本体１に着脱自在のプレート状をした払拭部材２とで形成されており、上記ワイパー本体１は、取付ヘッド３の押圧面３ａの幅方向両端部寄りの位置に該取付ヘッド３の長手方向に延びる２つの凹溝７，７を有すると共に、各凹溝７の長手方向両端部寄りの位置に、該凹溝７の深さよりも高さが低いフック１０を有し、上記払拭部材２は、スポンジプレート１４の両面に着塵布１５を一体に固着することにより形成されていて、上記取付ヘッド３のフック１０に係止する複数の係止孔を有する。【選択図】        図１
2004159916.tif 000002
【特許請求の範囲】
【請求項１】
圧縮性と弾力性とを有するプレート状の払拭部材と、この払拭部材が着脱自在に装着されたワイパー本体とからなり、
上記払拭部材は、平板形をしたスポンジプレートの両面に着塵布を一体に固着することにより形成されていて、該払拭部材の幅方向に延びるスリット状をした複数の係止孔を有し、
上記ワイパー本体は、上記払拭部材をフローリングに押し付けるための押圧面を備えた実質的に矩形の平面形状を有する取付ヘッドと、この取付ヘッドに連結部を介して傾動自在に連結された柄棒とを有し、
上記取付ヘッドにおける押圧面の幅方向両端部寄りの位置には、該取付ヘッドの長手方向に延びる２つの凹溝が設けられていて、各凹溝内における少なくとも長手方向両端部寄りの位置に、該凹溝の深さよりも高さが低い複数のフックが形成され、これらの各フックは、凹溝の溝底から該凹溝内に向けて立ち上がった連結壁部と、この連結壁部の先端に連結されて凹溝の軸線方向に延び、上記払拭部材の係止孔に嵌合、係止する係止頭部とを有する、
ことを特徴とするフローリングワイパー。
【請求項２】
上記連結部が取付ヘッドの上面中央位置に設けられると共に、上記２つの凹溝が、この連結部を挟んで左右対称の位置に平行に設けられていることを特徴とする請求項１に記載のフローリングワイパー。
【請求項３】
上記フックの係止頭部が、上記連結壁部の結合位置から凹溝の軸線方向第１端側に向けて延びる第１部分と、反対側の第２端側に向けて延びる第２部分とを有していて、各凹溝の第１端寄りに位置するフックは、溝端に近い上記第１部分の長さが第２部分の長さより長く、各凹溝の第２端寄りに位置するフックは、溝端に近い上記第２部分の長さが第１部分の長さより長いことを特徴とする請求項１又は２に記載のフローリングワイパー。
【請求項４】
上記各凹溝の両端部寄りの位置と中央位置とにそれぞれ３つのフックが設けられ、中央のフックは上記第１部分と第２部分との長さが等しいことを特徴とする請求項３に記載のフローリングワイパー。
【請求項５】
上記払拭部材に該払拭部材を下面側から包み込むように不織布性の拭布が被着され、この拭布の両端は、該払拭部材と上記取付ヘッドとの間に弾力的に挟み込まれていることを特徴とする請求項１から４までの何れかに記載のフローリングワイパー。
【発明の詳細な説明】
【０００１】
【発明の属する技術分野】
本発明は、フローリングの清掃に適したフローリングワイパーに関するものであり、更に詳しくは、払拭部材をフローリングに強く押し付けながら水拭きや乾拭きなどの清掃を行うことができる強圧方式のフローリングワイパーに関するものである。
【０００２】
【従来の技術】
従来より、板張り床であるフローリングを清掃するフローリングワイパーとして、柄の先端に連結されたプレート状の取付ヘッドに、着塵剤等を含浸させた不織布製の拭布を巻き付け等の方法によって装着し、この拭布をフローリングの表面に軽く接触させて前後に滑らせるようにしながら清掃するタイプのものが一般に普及している。
【０００３】
上記従来のフローリングワイパーは、拭布の着脱が簡単で手軽に使用できるという利点があるが、薄くて柔軟な拭布を取付ヘッドに巻き付けることで直接装着しているため、この拭布をフローリングに強く押し付けながら清掃を行うと、該拭布がずれ動いたり、取付ヘッドから外れたりし易く、拭布をフローリングに強く押し付けながら水拭きや乾拭きなどをゴシゴシと行うような場合には全く不向きであった。
【０００４】
【本発明が解決しようとする課題】
本発明の技術的課題は、払拭部材をフローリングに強く押し付けながら水拭きや乾拭きなどの清掃を行うことができる、強圧方式のフローリングワイパーを提供することにある。
【０００５】
【課題を解決するための手段】
上記課題を解決するため、本発明のフローリングワイパーは、圧縮性と弾力性とを有するプレート状の払拭部材と、この払拭部材が着脱自在に装着されたワイパー本体とからなり、上記払拭部材は、平板形をしたスポンジプレートの両面に着塵布を一体に固着することにより形成されていて、該払拭部材の幅方向に延びるスリット状をした複数の係止孔を有し、上記ワイパー本体は、上記払拭部材をフローリングに押し付けるための押圧面を備えた実質的に矩形の平面形状を有する取付ヘッドと、この取付ヘッドに連結部を介して傾動自在に連結された柄棒とを有し、上記取付ヘッドにおける押圧面の幅方向両端部寄りの位置には、該取付ヘッドの長手方向に延びる２つの凹溝が設けられていて、各凹溝内における少なくとも長手方向両端部寄りの位置に、該凹溝の深さよりも高さが低い複数のフックが形成され、これらの各フックは、凹溝の溝底から該凹溝内に向けて立ち上がった連結壁部と、この連結壁部の先端に連結されて凹溝の軸線方向に延び、上記払拭部材の係止孔に嵌合、係止する係止頭部とを有することを特徴とするものである。
【０００６】
上記構成を有するフローリングワイパーは、取付ヘッドの押圧面で払拭部材をフローリングに押し付け、前後あるいは左右に押し動かすことにより該フローリングの清掃を行う。このとき、上記払拭部材に水や洗浄液を適量含浸させた場合には水拭き清掃を行うことができ、水や洗浄液を含浸させない場合には乾拭き清掃を行うことができる。
【０００７】
また、公知のフローリングワイパーのように、取付ヘッドの拭布押圧面に柔軟な拭布を被着し、この拭布の両端を取付ヘッドの上面の適宜位置に止着した場合には、上記拭布をフローリングに強く押し付けて前後や左右に摺動させると、押圧面と拭布との係止力が弱いために該拭布が位置ずれして清掃力が十分に伝わりにくいが、上記構成を有する本発明のフローリングワイパーは、取付ヘッドの押圧面、即ち、払拭部材をフローリングに押し付けて摺動させるための部分である押圧面に複数の凹溝を形成し、各凹溝の少なくとも両端位置にフックを形成するという方法により、上記押圧面の少なくとも４か所にフックを直接形成し、これらのフックで払拭部材を押圧面に固定するようにしているため、該払拭部材が押圧面に密着した状態となってその取付強度が非常に強くなり、この払拭部材をフローリングに強く押し付けてゴシゴシと押し動かしても、位置ずれしたり取付ヘッドから外れたりすることがない。このため、上記従来のフローリングワイパーでは行うことができない強圧状態での拭き清掃を確実かつ簡便に行うことができる。しかも、上記各フックは、その高さが凹溝の深さよりも低いため、押圧面から外側へ突出することがなく、従って、これらのフックを押圧面に直接形成しても、それらが清掃の邪魔になったり、対象物と接触して傷付けたりすることがない。
【０００８】
清掃により払拭部材が汚れたときは、該払拭部材を取付ヘッドから取り外し、洗濯して再使用することができる。
【０００９】
本発明において好ましくは、上記連結部が取付ヘッドの上面中央位置に設けられると共に、上記２つの凹溝が、この連結部を挟んで左右対称の位置に平行に設けられていることである。
これにより、連結部と凹溝及びフックが互いに位置競合しないため、取付ヘッドの構成が簡単になり、成形型の構造も簡単になって合成樹脂による成形を容易に行うことができる。
【００１０】
本発明の具体的な構成態様によれば、上記フックの係止頭部が、上記連結壁部の結合位置から凹溝の軸線方向第１端側に向けて延びる第１部分と、反対側の第２端側に向けて延びる第２部分とを有していて、各凹溝の第１端寄りに位置するフックは、溝端に近い上記第１部分の長さが第２部分の長さより長く、各凹溝の第２端寄りに位置するフックは、溝端に近い上記第２部分の長さが第１部分の長さより長く形成されている。
【００１１】
上記複数のフックをこのような形に形成することにより、払拭部材への係止が確実になり、該払拭部材をどの方向に押し動かしても何れかのフックが払拭部材に確実に係止して外れにくいという利点がある。
【００１２】
本発明において好ましくは、上記各凹溝の両端部寄りの位置と中央位置とにそれぞれ３つのフックが設けられ、中央のフックは上記第１部分と第２部分との長さが等しいことである。
【００１３】
本発明の他の構成態様によれば、上記払拭部材に該払拭部材を下面側から包み込むように不織布性の拭布が被着され、この拭布の両端は、該払拭部材と上記取付ヘッドとの間に弾力的に挟み込まれている。
【００１４】
【発明の実施の形態】
図１〜図３は本発明に係るフローリングワイパーの一実施例を示すもので、このフローリングワイパーは、ワイパー本体１と、このワイパー本体１に着脱自在の払拭部材２とを備えている。
【００１５】
上記ワイパー本体１は、上記払拭部材２を着脱自在に取り付けるための取付ヘッド３と、この取付ヘッド３の上面に連結部４を介して前後及び左右に傾動自在なるように連結された握持用の柄棒５とで構成されている。
【００１６】
上記取付ヘッド３は、合成樹脂や金属等の硬質素材からなるもので、一方向に長い略長方形の平面形状をしており、その下面に上記払拭部材２を取り付けるための押圧面３ａを備えている。この押圧面３ａには、取付ヘッド３の横幅方向両端部寄りの位置に、該取付ヘッド３の長手方向に延びる２つの凹溝７，７が相互に平行をなすように形成されている。これらの凹溝７は、平らな溝底７ａと、傾斜する左右の溝壁７ｂ，７ｂとを有していて、溝底７ａ側の溝幅が溝口側の溝幅より徐々に狭くなるように形成されている。しかし、凹溝７の断面形状はこのようなものに限定されるものではなく、例えばＶ字形であっても、Ｕ字形であっても良く、一定の溝幅を有するものであっても良い。
【００１７】
上記各凹溝７内には、上記払拭部材２を押圧面３ａに固定するためのフック１０が、該凹溝７の軸線方向両端部寄りの位置と中央位置との３か所にそれぞれ設けられている。このような配置で複数のフック１０を設けることにより、これらのフック１０が押圧面３ａの四隅に近い位置と中間位置とに効率良く配置され、該押圧面３ａに対する上記払拭部材２の固定強度が大きくなると同時に、その密着度も高まる。上記各フック１０は、逆Ｔ字形をしていて、凹溝７の溝底７ａから溝内に向けて立ち上がった連結壁部１１と、該連結壁部１１の先端に連設されて凹溝７の軸線方向に延びる係止頭部１２とを有している。また、該フック１０の高さは凹溝７の深さよりも低く形成され、上記係止頭部１２が押圧面３ａから前方に突出することがないようになっている。
【００１８】
上記各フック１０における連結壁部１１の先端は、係止頭部１２の中間位置に結合しており、従って該係止頭部１２は、この連結壁部１１との結合位置から凹溝７の軸線方向第１端７ｃ側に向けて延びる第１部分１２ａと、反対側の第２端７ｄ側に向けて延びる第２部分１２ｂとに分かれている。そして、各凹溝７の第１端７ｃ寄りに位置するフック１０は、溝端に近い上記第１部分１２ａの長さが反対側の第２部分１２ｂの長さより長く形成され、各凹溝７の第２端７ｄ寄りに位置するフック１０は、溝端に近い上記第２部分１２ｂの長さが反対側の第１部分１２ａの長さより長く形成されており、各凹溝７の中央部に位置するフック１０は、第１部分１２ａと第２部分１２ｂとの長さが等しく形成されている。つまり、上記複数のフック１０の配置及び形態は、取付ヘッド３の長手方向及び幅方向の両方について左右対称形をなすように形成されている。
【００１９】
上記払拭部材２は、圧縮性と弾力性及び保水性を有する略矩形の平面形状を有する平板形スポンジプレート１４の表裏両面に、着塵布１５を一体に固着することにより形成されたもので、その大きさは、上記ワイパー本体１の取付ヘッド３よりも若干大きく形成されており、従って、この払拭部材２を上記取付ヘッド３に取り付けると、該払拭部材２の周囲が取付ヘッド３の回りに若干はみ出すことになる。該払拭部材２の両側面は、浅い波形に形成されている。
【００２０】
上記着塵布１５は、直径が１〜９μｍの超極細繊維を少なくとも一部に含み、残りが１０〜３０μｍ程度の極細繊維である不織布で形成されている。しかし、必ずしも上述したような超極細繊維を含んでいなくても良く、極細繊維だけで構成されていても良い。あるいは、その他の太さの繊維で構成されていても良い。また、上記各繊維は、例えばポリプロピレン、ポリエステル、アクリルのような親油性の繊維や、レーヨンのような親水性の繊維を、それぞれ単独で用いるか、あるいは、親油性繊維と親水性繊維とを適当な比率で混合して形成することができる。
【００２１】
上記着塵布１５をスポンジプレート１４の表面に固着する方法は、熱溶着や接着等の各種手段があるが、熱溶着する場合には、スポンジプレート１４の表面を熱溶融させてこれに着塵布１５を固着させても、あるいは、スポンジプレート１４と着塵布１５の両方を熱溶融させて相互に一体化させても良い。また、上記着塵布１５はスポンジプレート１４の一方の表面だけに固着しても良い。
【００２２】
上記払拭部材２には、図３に示すように、上記取付ヘッド３の凹溝７内のフック１０に係止させるための係止孔１７が、各フック１０と対応する位置に複数設けられている。これらの係止孔１７は、払拭部材２の幅方向に延びるスリット状をしていて、取付ヘッド３に形成された上記各フック１０の係止頭部１２とは、互いに直交する方向関係にある。そしてこの払拭部材２は、上記係止孔１７が形成されている部分を上記取付ヘッド３の凹溝７内に押し込んで、該係止孔１７内にフック１０の係止頭部１２を嵌合させて係止させることにより、ワイパー本体１の取付ヘッド３に取り付けられている。このとき、払拭部材２の上記凹溝７内に押し込まれた部分は、フック１０の係止頭部１２と凹溝７の溝底７ａとの間で圧縮され、その弾性復元力によって該払拭部材２が係止頭部１２に強く係止するため、該払拭部材２の取り付けは確実かつ強固になる。また、上記フック１０の高さが凹溝７の深さよりも低いため、払拭部材２を取り付けた状態でこのフック１０の係止頭部１２が払拭部材２より外方へ突出することがない。
【００２３】
また、上記柄棒５を取付ヘッド３の上面中央位置に連結する上記連結部４は、第１連結部材４ａと第２連結部材４ｂとを有している。このうち第１連結部材４ａは、取付ヘッド３の上面の軸受部３ｂに、取付ヘッド３の軸線と平行する支軸の回りに回動自在なるように連結され、第２連結部材４ｂは、上記第１連結部材４ａに、取付ヘッド３の軸線と直交する支軸の回りに回動自在なるように連結されており、この第２連結部材４ｂに上記柄棒５が連結されている。従ってこの柄棒５は、取付ヘッド３の軸線と平行する支軸回りと直交する支軸の回りの両方に傾動自在であり、換言すれば、取付ヘッド３に対して前後及び左右の両方向に傾動自在である。
【００２４】
上記構成を有するフローリングワイパーは、払拭部材２をフローリングに押し付け、前後あるいは左右に押し動かすことにより該フローリングの清掃を行うものである。このとき、上記払拭部材２に水や洗浄液を適量含浸させた場合には水拭き清掃を行うことができ、水や洗浄液を含浸させない場合には乾拭き清掃を行うことができる。
【００２５】
このとき上記フローリングワイパーは、取付ヘッド３の押圧面３ａ、即ち、払拭部材２をフローリングに押し付けて摺動させるための部分である押圧面３ａの幅方向両端部寄りの位置に、２つの凹溝７，７を形成し、各凹溝７の少なくとも両端位置を含む複数カ所にフック１０を形成するという方法により、上記押圧面３ａの４か所以上にフック１０を直接形成し、これらのフック１０で払拭部材２を押圧面３ａに固定するようにしているため、該払拭部材２が押圧面３ａに密着した状態に固定されてその取付強度は非常に大きくなり、該払拭部材２をフローリングに強く押し付けてゴシゴシと摺動させても、該払拭部材２が位置ずれしたり取付ヘッド３から外れたりすることがない。特に、上記各フック１０は、係止頭部１２を構成する第１部分１２ａ及び第２部分１２ｂのうち、溝端側に位置する部分の長さを長く形成しているため、清掃時に、上記払拭部材２が取付ヘッド３の軸線方向に伸縮により若干変形して一端側の係止孔１７が第１部分１２ａ又は第２部分１２ｂから外れる方向に変移しても、その第１部分１２ａ又は第２部分１２ｂが係止孔１７から外れにくく、該払拭部材２の位置ずれや、係止孔１７からのフック１０の抜脱等が確実に防止されることになる。しかも、上記複数のフック１０の配置及び形態が取付ヘッド３の長手方向及び幅方向の両方について左右対称形であるため、取付ヘッド３をどの方向に摺動させても払拭部材２に対するフック１０の係止がより確実になる。
【００２６】
また、上記各フック１０は、その高さが凹溝７の深さよりも低いため、押圧面３ａから外側へ突出することがなく、従って、これらのフック１０を押圧面３ａに直接形成しても、それらが清掃の邪魔になったり、対象物と接触して傷付けたりすることがない。
【００２７】
従って、公知のフローリングワイパーのように、取付ヘッドの拭布押圧面に柔軟な拭布を被着し、この拭布の両端を取付ヘッドの上面の適宜位置に止着したものでは行うことができない、強圧状態での拭き清掃を確実かつ簡便に行うことができる。しかし、公知のフローリングワイパーと同様に、上記払拭部材２をフローリングに軽く押し付けてソフトタッチでの拭き清掃も行うことができるのはもちろんである。
【００２８】
また、上記払拭部材２は、上記スポンジプレート１４の圧縮性と弾性力によって対象物にソフトに接触して使用感が良いだけでなく、該スポンジプレート１４に固着した着塵布１５によって優れた着塵力を発揮する。しかも、洗浄液を含浸させて使用する場合には、上記スポンジプレート１４の保水性によって長時間連続して清掃することが可能である。さらに、上記着塵布１５とスポンジプレート１４とを熱溶着によって一体に固着しているため、払拭部材２の強度が全体として非常に強くなっており、清掃によって擦り切れにくいだけでなく、洗浄液に浸漬して強く絞っても、着塵布１５及びスポンジプレート１４が容易に破損することがない。
【００２９】
清掃により払拭部材２の一面の着塵布１５が汚れたときは、該払拭部材２を取付ヘッド３から取り外し、上下反転して再装着したあと同様に使用し、両面共に汚れたときは洗濯して再使用することができる。
【００３０】
図５は本発明に係るフローリングワイパーの異なる使用例を示すもので、払拭部材２に拭布２０を装着し、この拭布２０でフローリングを清掃するようにしている。即ち、上記払拭部材２とは別に形成された不織布製の上記拭布２０を使用し、この拭布２０を該払拭部材２に巻き付けて、その両端部を該払拭部材２と取付ヘッド３との間に挟持させ、その状態でフローリングを清掃するようにしている。このように拭布２０を使用する場合でも、該拭布２０をフローリングに強く押し付けながらゴシゴシと拭き清掃することができるが、該拭布２０をフローリングに軽く押し付けてソフトタッチでの拭き清掃も行うことができる。上記拭布２０は、払拭部材２に固着されている着塵布１５と同様の繊維構成を有する不織布からなるものであっても、異なる繊維構成を有する不織布からなるものであっても良い。
【００３１】
上記実施例では、払拭部材２を固定するための複数のフック１０のうち、各凹溝７の両端部寄りの位置にあるフック１０については、係止頭部１２の第１部分１２ａと第２部分１２ｂとが異なる長さに形成されているが、払拭部材２の係止孔１７に確実に係止できるだけの十分な長さを有していれば、第１部分１２ａと第２部分１２ｂとは同じ長さであっても良い。また、上記フック１０は、各凹溝７について両端部寄りの位置と中央位置との３か所に設けられているが、４か所以上に設けることもできる。
【００３２】
【発明の効果】
以上に詳述したように本発明によれば、払拭部材をフローリングに強く押し付けながら水拭きや乾拭きなどの清掃を行うことができる、強圧方式のフローリングワイパーを得ることができる。
【図面の簡単な説明】
【図１】本発明のフローリングワイパーの一実施例を示す斜視図である。
【図２】図１の取付ヘッドの長手方向に沿った断面図である。
【図３】図１の取付ヘッドの横幅方向に沿った部分断面図である。
【図４】払拭部材の平面図である。
【図５】本発明のフローリングワイパーの異なる使用例を示す側面図である。
【符号の説明】
１      ワイパー本体
２      払拭部材
３      取付ヘッド
３ａ      押圧面
５      柄棒
７      凹溝
７ｃ      第１端
７ｄ      第２端
１０      フック
１１      連結壁部
１２      係止頭部
１２ａ      第１部分
１２ｂ      第２部分
１４      スポンジプレート
１５      着塵布
１７      係止孔
２０      拭布
【図１】
2004159916.tif 000003
【図２】
2004159916.tif 000004
【図３】
2004159916.tif 000005
【図４】
2004159916.tif 000006
【図５】
2004159916.tif 000007